(57)【要約】【課題】有料施設の入場ゲートにおいて、無線式記録媒体を用い、有料施設ごとの料金体系に従った料金をスムーズに徴収することができる入場ゲートシステムを提供する。【解決手段】携行可能なＩＣカード１を介して表示される有料施設の個人識別情報を示す２次元コードＣを読み取るコード読取部１７と、２次元コードＣによって示される個人識別情報に基づいて、ＩＣカード１の携行者の通行の可否を判断する入場ゲート１１と、を備えた。【選択図】図２
2015049855.tif 000002
【特許請求の範囲】
【請求項１】
携行可能な無線式記録媒体を介して表示される有料施設の個人識別情報を示す識別子を読み取る読取部と、
前記識別子によって示される前記個人識別情報に基づいて、前記無線式記録媒体の携行者の通行の可否を判断する入場ゲートと、を備えた入場ゲートシステム。
【請求項２】
前記識別子は、一次元バーコードおよび二次元バーコードの何れか一方である請求項１に記載の入場ゲートシステム。
【請求項３】
前記識別子は、前記無線式記録媒体に貼付可能なシール、および前記無線式記録媒体を収納可能なカードケースの少なくとも何れか一方に設けられている請求項１または請求項２に記載の入場ゲートシステム。
【請求項４】
前記入場ゲートは、前記識別子によって示される前記個人識別情報に基づいて、前記無線式記録媒体から所定の料金を徴収する請求項１〜請求項３の何れか１項に記載の入場ゲートシステム。
【請求項５】
前記読取部は、前記無線式記録媒体を介して表示される複数の前記識別子の中から、前記個人識別情報を取得するために必要な前記識別子を選択する識別子選択部を有し、この識別子選択部によって選択された前記識別子を読み取る請求項１〜請求項４の何れか１項に記載の入場ゲートシステム。
【発明の詳細な説明】
【技術分野】
【０００１】
本発明の実施形態は、例えば、有料施設の入場ゲートに設置される入場ゲートシステムに関する。
【背景技術】
【０００２】
近年、無線式記録媒体として、例えばＩＣカードを用い、このＩＣカードをＩＣカードリーダに翳すことにより、所定の料金を徴収するシステムが導入されている。ＩＣカードには、さまざま情報が記憶されている。一方、ＩＣカードリーダは、ＩＣカードに記憶されている情報のうち、随時必要な情報を読取ることにより、所定の料金を徴収するようになっている。
【先行技術文献】
【特許文献】
【０００３】
【特許文献１】特開２０００−２４２８１８号公報
【発明の概要】
【発明が解決しようとする課題】
【０００４】
ところで、上述のような従来技術を、例えば有料施設の入場ゲートに導入しようとすると、有料施設ごとの料金体系に従った徴収料金の識別が必要になる。しかしながら、この種の識別情報はＩＣカードに記憶されていないので、入場ゲートのＩＣカードリーダにＩＣカードを翳すだけで、有料施設ごとの料金体系に従った料金を徴収することが困難であるという課題がある。
ＩＣカードに、有料施設ごとの料金体系に従った情報を記憶させることも考えられるが、その都度ＩＣカードの情報を更新する必要があり、現実的ではない。
【０００５】
そこで、この発明は、上述した事情に鑑み、有料施設の入場ゲートにおいて、無線式記録媒体を用い、有料施設ごとの料金体系に従った料金をスムーズに徴収することができる入場ゲートシステムを提供するものである。
【課題を解決するための手段】
【０００６】
実施形態に係る入場ゲートシステムは、携行可能な無線式記録媒体を介して表示される有料施設の個人識別情報を示す識別子を読み取る読取部と、前記識別子によって示される前記個人識別情報に基づいて、前記無線式記録媒体の携行者の通行の可否を判断する入場ゲートと、を備えた。
【図面の簡単な説明】
【０００７】
【図１】本発明の実施形態における識別子の表示方法を示す説明図である。
【図２】本発明の実施形態における入場ゲートシステムの一例を示す概略構成図である。
【図３】本発明の実施形態における入場ゲートシステムのブロック図である。
【図４】本発明の実施形態における入場ゲートシステムの動作のフローチャートである。
【発明を実施するための形態】
【０００８】
次に、この発明の実施形態を図面に基づいて説明する。
【０００９】
（識別子の表示方法）
図１は、識別子の表示方法を示す説明図である。
同図に示すように、識別子としては、例えばバーコード（不図示）や２次元コード（例えばＱＲコード（登録商標））Ｃを用いることができる。なお、以下の説明では、識別子として、２次元コードＣを用いた場合について説明するが、識別子としてバーコードを用いることも可能である。
【００１０】
２次元コードＣは、シール３０に印刷されている。２次元コードＣには、有料施設に入場するための個人識別情報が示されている。個人識別情報としては、例えば、以下の情報が挙げられる。
（１）年齢
（２）性別
（３）学生か社会人か（学生の場合、小学生、中学生、高校生、大学生の何れに該当するか）
（４）幼児や高齢者か
（５）２次元コードＣの有効期限
【００１１】
なお、２次元コードＣは、コピー防止機能（その機能が印刷されたシール３０のコピーを防止する複写機でコピーしてもコピーできない機能やコピー防止機能が無い複写機でコピーすると、全体的に網がかかり２次元コードＣが汚くなる機能）を有することが望ましい。また、２次元コードＣの外形状を、該当する有料施設の２次元コードＣであると視認可能な外形状としてもよい。
【００１２】
上述のような２次元コードＣが印刷されたシール３０の取得方法は、有料施設によってさまざまな取得方法がある。例えば、入場日前までに予約しておき、郵送にて自宅でシール３０受け取る方法、または当日に有料施設の入場ゲート前の引き渡し場にてシール３０を受け取る方法などが挙げられる。
【００１３】
シール３０の使用方法としては、以下の２つが挙げられる。
（１）所有する電子決済可能なＩＣカード（Ｓｍａｒｔ  Ｃａｒｄ）１に直接シール３０を貼付する。
（２）ＩＣカード１を収納するカードケース３１にシール３０を貼付する。
ここで、（２）の場合、カードケース３１に２次元コードＣが直接印刷されているものを取得するようにしてもよい。すなわち、ＩＣカード１を介して２次元コードＣを表示できるようにしてあればよい。
【００１４】
なお、ＩＣカード１に貼付可能なシール３０の枚数は、１枚に限られない。目的の有料施設（例えば、Ａ施設、Ｂ施設、Ｃ施設など）の数に応じて、複数枚シール３０を貼付することが可能である。
また、以下の説明においては、ＩＣカード１と、上述の（１）、（２）の方法を用いてＩＣカード１を介して表示されている２次元コードＣとを総称して、２次元コード付ＩＣカード１００という。
【００１５】
（入場ゲートシステム）
次に、図２〜図４に基づいて、上述の２次元コード付ＩＣカード１００を利用した入場ゲートシステム１０について説明する。
図２は、入場ゲートシステム１０の一例を示す概略構成図、図３は、入場ゲートシステム１０のブロック図である。
【００１６】
図２、図３に示すように、入場ゲートシステム１０は、有料施設の利用者（ＩＣカード１の携行者）の通行の可否を判断する入場ゲート１１を有している。入場ゲート１１は、この入場ゲート１１の筐体としてのゲート本体１２と、ゲート本体１２を支持する支柱１３と、ゲート本体１２の重力方向上部における進入側（図２における右側）に設けられたコード付ＩＣカードリーダ１４と、ゲート本体１２の退出側（図２における左側）に設けられたドア１５と、入場ゲート１１の制御を司る制御部１６と、を備えている。
【００１７】
コード付ＩＣカードリーダ１４は、２次元コードＣの情報を読み取るコード読取部１７と、ＩＣカード１の情報を読み取るカード読取部１８と、を有している。これらコード読取部１７とカード読取部１８は、利用者の進入方向（図２における右から左方向に進む方向）に沿って並んで配置されている。そして、進入側からコード読取部１７、カード読取部１８の順で配置されている。
【００１８】
ドア１５には、このドア１５を駆動するための駆動部１５ａが設けられている。この駆動部１５ａが駆動することによって、ドア１５が開閉動作するようになっている。
【００１９】
制御部１６は、ＩＣカード１を介して複数の２次元コードＣが表示されている場合、これら複数の２次元コードＣの中から、該当する有料施設に対する個人識別情報が示されている２次元コードＣを選択する選択部１９と、所定の２次元コードＣの個人識別情報に基づいて、ＩＣカード１から所定の料金を徴収する料金徴収部２０と、を有している。
料金徴収部２０には、複数の料金区分が記憶されており、個人識別情報に基づいて所定の料金区分を選択し、この料金区分に基づいて所定の料金をＩＣカード１から徴収するようになっている。
また、制御部１６は、料金徴収部２０から所定の料金を徴収できたか否かの可否信号を受信し、この受信信号に基づいて、ドア１５の駆動部１５ａに駆動信号を出力するようになっている。
【００２０】
（入場ゲートシステムの動作）
次に、図２〜図４に基づいて、入場ゲートシステム１０の動作について説明する。
図４は、入場ゲートシステム１０の動作のフローチャートである。
ここで、まず、利用者は、２次元コード付ＩＣカード１００を用意する（図１参照）。
そして、図２〜図４に示すように、利用者は、入場ゲート１１に進入する直前に、この入場ゲート１１のコード付ＩＣカードリーダ１４に２次元コード付ＩＣカード１００を翳す（図４におけるステップＳＴ１０）。
【００２１】
コード付ＩＣカードリーダ１４は、まず、コード読取部１７によって、２次元コードＣに示されている個人識別情報を読み取る（図４におけるステップＳＴ２０）。このとき、２次元コード付ＩＣカード１００に複数の２次元コードＣが表示されている場合、制御部１６の選択部１９によって、該当する有料施設の２次元コードＣが選択される。そして、この選択された２次元コードＣに示される個人識別情報のみが読み取られる。
【００２２】
続いて、ステップＳＴ２０によって読み取られた個人識別情報に基づいて、料金徴収部２０が所定の料金区分を選択する（図４におけるステップＳＴ３０）。
そして、選択された料金区分の料金を、ＩＣカード１から徴収する（図４におけるステップＳＴ４０）。
ここで、コード付ＩＣカードリーダ１４には、コード読取部１７、カード読取部１８が進入方向から順に設けられている。このため、２次元コードＣに示されている個人識別情報を読み取る前に、コード付ＩＣカードリーダ１４がＩＣカード１の情報を読み取ることを防止できる。
【００２３】
続いて、料金徴収部２０から料金徴収の可否信号が制御部１６に出力される。制御部１６は、料金徴収の可否信号に基づいて、所定の料金を正しく徴収できたか否かの判断を行う（図４におけるステップＳＴ５０）。
【００２４】
ステップＳＴ５０における判断が「Ｙｅｓ」、つまり、所定の料金を正しく徴収できた場合、制御部１６は、ドア１５の駆動部１５ａにドア開信号を出力する。駆動部１５ａは、制御部１６からのドア開信号に基づいて、ドア１５を開放する（図４におけるステップＳＴ６０）。これにより、利用者は、入場ゲート１１を通過できる。
一方、ステップＳＴ５０における判断が「Ｎｏ」、つまり、所定の料金を正しく徴収できなかった場合、制御部１６から駆動部１５ａに何ら信号が出力されない。このため、ドア１５は、閉鎖された状態のままになる（図４におけるステップＳＴ７０）。このため、利用者は、入場ゲート１１を通過することができない。
【００２５】
したがって、上述の実施形態によれば、入場ゲート１１にコード読取部１７とカード読取部１８とを備えたコード付ＩＣカードリーダ１４を設け、このコード付ＩＣカードリーダ１４に２次元コード付ＩＣカード１００を翳すだけで有料施設ごとの料金体系に従った料金をスムーズに徴収することができる。
【００２６】
また、個人識別情報を、バーコードや２次元コードＣを用いて示すようにしているので、入場ゲートシステム１０全体を安価なシステムで構築できる。
さらに、バーコードや２次元コードＣを、シール３０またはカードケース３１に印刷することにより、ＩＣカード１を介して容易にバーコードや２次元コードＣを表示させることができる。
【００２７】
そして、入場ゲート１１の制御部１６は、複数の２次元コードＣの中から、該当する有料施設に対する個人識別情報が示されている２次元コードＣを選択する選択部１９を有している。このため、利用者は、有料施設ごとにシール３０を貼り直したり、カードケース３１を装着し直したりする必要がなく、ユーザフレンドリーな入場ゲートシステム１０を提供することができる。
【００２８】
なお、本発明は上述の実施形態に限られるものではなく、本発明の趣旨を逸脱しない範囲において、上述の実施形態に種々の変更を加えたものを含む。
【００２９】
例えば、上述の実施形態では、コード付ＩＣカードリーダ１４は、コード読取部１７とカード読取部１８の２つの読取部１７，１８を有している場合について説明した。しかしながら、これに限られるものではなく、コード読取部１７を有するコードリーダと、カード読取部１８を有するカードリーダと、をそれぞれ別々に設けてもよい。
この場合、カードリーダよりも入場ゲート１１の進入側に、コードリーダを配置する。さらに、入場ゲート１１の退出側に、カードリーダを配置してもよい。
【００３０】
また、上述の実施形態では、ＩＣカード１を介して２次元コードＣを表示させる場合について説明した。しかしながら、これに限られるものではなく、例えば、電子決済可能なスマートフォン（例えば多くの場合、パーソナルコンピュータのような高度な機能を有する携帯電話）に２次元コードＣやバーコードを表示させるようにしてもよい。
【符号の説明】
【００３１】
１…ＩＣカード（無線式記録媒体）
１０…入場ゲートシステム
１１…入場ゲート
１２…ゲート本体
１３…支柱
１４…コード付ＩＣカードリーダ
１５…ドア
１５ａ…駆動部
１６…制御部
１７…コード読取部（読取部）
１８…カード読取部
１９…選択部（識別子選択部）
２０…料金徴収部
３０…シール
３１…カードケース
１００…２次元コード付ＩＣカード
Ｃ…２次元コード（識別子）
【図１】
2015049855.tif 000003
【図２】
2015049855.tif 000004
【図３】
2015049855.tif 000005
【図４】
2015049855.tif 000006